(57)【特許請求の範囲】
【請求項１】
ボディ部と履き口部とからなり、前記ボディ部はつま先部、踵部および中間部とからなり、着用時に足底、つま先および踵を覆い、履き口部から足首と少なくとも足甲の一部が露出するフットカバーにおいて、前記ボディ部が表糸と裏糸とからなる添糸編で編成されており、前記表糸は短繊維または長繊維からなる糸であり、前記裏糸がウレタン糸を芯糸とする弾性糸であり、前記履き口部が袋状のダブルウェルトに編成されており、前記履き口部の内側の下端部であるダブルウェルトの編み始めの部分が、前記ボディ部の裏糸のウレタン芯糸よりも太い２００ｄｔｅｘ以上の太さのウレタン糸を芯糸として細い被覆糸でシングルカバーした太い被覆弾性糸により編成されており、履き口部の内側の上部および履き口部の外側部分がボディ部における表糸と同じ編糸が用いられ、履き口部の外側部分はゴム糸挿入編により編成されていることを特徴とするフットカバー。
【請求項２】
フットカバーが履き口部の内側の下端から前記太い被覆弾性糸により編み始められて、前記太い被覆弾性糸により履き口部の全周に亘って３〜３０コース編成されていることを特徴とする請求項１記載のフットカバー。
【請求項３】
フットカバーが履き口部の内側の下端から前記太い被覆弾性糸により編み始められて、前記太い被覆弾性糸により履き口部の全周に亘って３〜３０コース編成され、更に、踵部に対応する履き口部の内側の箇所が前記太い被覆弾性糸により部分的に追加編成されていることを特徴とする請求項１記載のフットカバー。
【発明の詳細な説明】
【技術分野】
【０００１】
本発明はスニーカー、パンプス、ローファーシューズ等の靴を履くときに着用して、靴の内側に隠れて外から見えなくなるような靴下、すなわち、フットカバーに関するものである。なお、フットカバーはカバーソックス、インナーソックス、ヌードソックス等と称されることもある。
【背景技術】
【０００２】
ファッションとして素足でスニーカーなどの靴を履いたり、夏期にストッキングを履かずに素足でパンプスを履いたりすることが行われているが、足裏は汗をかき易く、素足のままでは靴の中が蒸れてしまう。
【０００３】
このため、従来から、足首から上の部分がなく、足首と少なくとも足甲の一部が露出するように履き口が大きく開いており、着用時に靴を履いても靴から食み出さないような靴下、すなわちフットカバーが利用されている。
【０００４】
このようなフットカバーは履き口が大きく開いているため、歩行中にフットカバーがずれたり、踵の部分から脱げてしまったりすると言う問題がある。このような問題を解消するために、幾つかの提案がなされている。
【０００５】
例えば、特開平１０−２９２２０６号公報（特許文献１）には、フットカバーの踵当接部内面にゴム材等からなる突起状弾性体を取付け、突起状弾性体が滑り止めの役割をして、フットカバーを脱げ難くすることが開示されている。
【０００６】
また、特開２０１３−７６２０５号公報（特許文献２）には、履き口である開口部内面の全周に帯状平ゴムを接着するとともに、フットカバーの後部内面と前部外面に伸縮性および粘着性を有するシリコーンゲルにより形成された滑り止めを設けることが開示されている。特許文献２のフットカバーにおいては、後部内面の滑り止めが着用者の踵に当接して、フットカバーが脱げるのを防止し、前部外面の滑り止めが靴の底部内面と当接して、フットカバーの位置がずれるのを防止する。
【０００７】
特開２０１４−４７４３４号公報（特許文献３）には、フットカバーにおいて、第１の伸縮性細幅生地が開口部の爪先側の上縁に沿って、爪先側から踵側向けて下方向に傾斜し、第２の伸縮性細幅生地が開口部の踵側の上縁に沿って爪先側から踵側へ向けて上方向に傾斜し、第１の伸縮性細幅生地と第２の伸縮性細幅生地とが足底部と側辺部との境界近傍において交差するようにして、第１および第２の伸縮性細幅生地をフットカバー生地に熱プレスにより接合し、第１の伸縮性細幅生地と第２の伸縮性細幅生地とにより、フットカバーの着用時にずれたり脱げたりすることを防止することが開示されている。
【先行技術文献】
【特許文献】
【０００８】
【特許文献１】特開平１０−２９２２０６号公報
【特許文献２】特開２０１３−７６２０５号公報
【特許文献３】特開２０１４−４７４３４号公報
【発明の概要】
【発明が解決しようとする課題】
【０００９】
前述した特許文献１〜３に開示されたフットカバーにおいては、着用時にフットカバーが脱げるのを防止するために、フットカバー本体とは別の部材をフットカバー本体に取付けることが必要である。特許文献１のフットカバーではゴム材等からなる突起状弾性体を踵当接部内面に取付けることが必要である。特許文献２のフットカバーでは、開口部内面の全周に帯状平ゴムを接着するとともに、伸縮性および粘着性を有するシリコーンゲルにより形成された滑り止めをフットカバー本体に取付けることが必要である。特許文献３のフットカバーでは第１の伸縮性細幅生地と第２の伸縮性細幅生地をフットカバー本体に取付けることが必要である。
【００１０】
このようにフットカバー本体を製造した後に、フットカバー本体とは別の部材をフットカバー本体に取付けることは、フットカバーの製造に手間隙が掛かり、製造コストが高価になると言う問題がある。
【００１１】
また、フットカバー本体とは別の部材をフットカバー本体に取付けるため、見た目も無骨であり、洗濯を繰り返すうちに別部材が剥離したりするという問題が生じる。
【００１２】
本発明はこのような従来のフットカバーの問題点を解消し、フットカバーの着用時に歩いたりしても脱げたりせず、しかも製造に手間が掛からず、製造コストも安価となるフットカバーを提供することを目的とする。
【課題を解決するための手段】
【００１３】
本発明は、ボディ部と履き口部とからなり、前記ボディ部はつま先部、踵部および中間部とからなり、着用時に足底、つま先および踵を覆い、履き口部から足首と少なくとも足甲の一部が露出するフットカバーにおいて、前記ボディ部が表糸と裏糸とからなる添糸編で編成されており、前記表糸は短繊維または長繊維からなる糸であり、前記裏糸がウレタン弾性糸（以下、本明細書中ではウレタン糸と称する）を芯糸とする被覆弾性糸であり、前記履き口部が袋状のダブルウェルトに編成されており、前記履き口部の内側の下端部であるダブルウェルトの編み始めの部分が、前記ボディ部の裏糸のウレタン芯糸よりも太い２００ｄｔｅｘ以上の太さのウレタン糸を芯糸として細い被覆糸でシングルカバーした太い被覆弾性糸により編成されており、履き口部の内側の上部および履き口部の外側部分がボディ部における表糸と同じ編糸が用いられ、履き口部の外側部分はゴム糸挿入編により編成されていることを特徴とするフットカバーにより前記目的を達成する。
【００１４】
本発明においては、フットカバーが履き口部の内側の下端から前記太い被覆弾性糸により編み始められて、前記太い被覆弾性糸により履き口部の全周に亘って３〜３０コース編成されていることが好ましい。
【００１５】
また、本発明においては、更に、踵部に対応する履き口部の内側の箇所が前記太い被覆弾性糸により部分的に追加編成されていることが好ましい。
【発明の効果】
【００１６】
本発明によれば、フットカバーの履き口部が袋状のダブルウェルトに編成されており、履き口部の内側の上部および履き口部の外側部分がボディ部における表糸と同じ編糸が用いられ、履き口部の外側部分はゴム糸挿入編により編成されており、そして、履き口部の内側の下端部であるダブルウェルトの編み始めの部分が、ボディ部の裏糸のウレタン芯糸よりも太い２００ｄｔｅｘ以上の太さのウレタン糸を芯糸として細い被覆糸でシングルカバーした太い被覆弾性糸により編成されているので、フットカバーの着用時には履き口部内側の太い被覆弾性糸により編成した部分が着用者の足と密着する。そして、着用状態では履き口部は無張力状態から伸ばされた状態となり、太い被覆弾性糸の芯糸であるウレタン糸が皮膚に密着して接する。ウレタン糸は摩擦力が大きく、滑り難いので、フットカバーの着用時に歩いたりしてもフットカバーが脱げたりしない。
【００１７】
本発明のフットカバーはボディ部と履き口部が一体に編成されて製造される。滑り止めの役目を果たす履き口部内側の太い被覆弾性糸による編成部分はフットカバーの編成開始時に編成され、それに引き続いて、履き口部の内側上部、履き口部の外側、ボディ部へと編成される。このように、本発明によればフットカバーの編成のみで製造でき、従来のようにフットカバー本体を製造した後にフットカバー本体とは別の部材を取付けたりする必要がない。従って、本発明のフットカバーは製造に手間が掛からず、製造コストも安価とすることができる。
【００１８】
本発明によれば、フットカバーが履き口部の内側の下端から太い被覆弾性糸により編み始められて、太い被覆弾性糸により履き口部の全周に亘って３〜３０コース編成されていることが好ましく、更に、踵部に対応する履き口部の内側の箇所が前記太い被覆弾性糸により部分的に追加編成されていると、フットカバーの踵部に対応する履き口部の箇所の摩擦力が増して、フットカバーがより一層脱げ難くなる。
【図面の簡単な説明】
【００１９】
【図１】本発明のフットカバーの一実施例を型紙にセットしたときの概略平面図であり、図１（ａ）はフットカバーの表面を外側にしてセットした状態を示し、図１（ｂ）は図１（ａ）のフットカバーを裏返して、裏面を外側にしてセットした状態を示す。
【図２】図２（ａ）は図１（ｂ）において〇で囲った部分の拡大平面図であり、図２（ｂ）は図２（ａ）におけるｂ−ｂ線に沿って断面した拡大断面図である。
【図３】本発明のフットカバーの別の実施例を型紙にセットしたときの概略平面図である。
【図４】ダブルウェルト編成における編成開始時の編成過程を説明するための説明図である。
【図５】ダブルウェルト編成におけるトランスファの経過を説明する説明図である。
【図６】本発明のフットカバーの一実施例の履き口部の編成過程を示す展開図である。
【発明を実施するための形態】
【００２０】
以下、図面に示した実施例に基いて本発明を詳細に説明する。
【００２１】
本発明のフットカバーは図１（ａ）に示すように、ボディ部１と履き口部２とからなり、ボディ部１はつま先部１１、踵部１２および中間部１３とからなり、着用時に着用者の足底、つま先および踵を覆い、履き口部２から着用者の足首と少なくとも足甲の一部が露出する。
【００２２】
図１に示した実施例のフットカバーは履き口部２が比較的広く開いており、つま先部１１が短いものであり、着用者の足首と足甲が露出する。図１に示したフットカバーは足甲が露出するような靴を履く際に着用するのに適している。
【００２３】
また、スニーカーなどのように足甲があまり露出しない靴を履く場合には、図３に示した実施例のフットカバーのように、履き口部２が広く開いていておらず、つま先部１１が長く、着用者の足首と足甲の一部が露出するフットカバーを着用すればよい。
【００２４】
本発明においては、フットカバーのボディ部１が着用者の足にフィットするように、ウレタン糸を芯糸とする弾性糸を編糸として使用して編成する。具体的には、ボディ部１を表糸と裏糸（添え糸）とからなる添糸編で編成し、表糸に短繊維または長繊維からなる糸を使用し、裏糸にウレタン糸を芯糸とする弾性糸を使用する。
【００２５】
表糸は季節や用途に応じて種々の素材を使用することができ、例えばポリエステルやナイロンの長繊維、綿、綿混（綿アクリル等）、麻、麻混（綿麻等）、毛混（アクリルウール混等）を使用すればよい。表糸の太さは季節や用途に応じて種々であり、例えば、長繊維の糸の場合はストッキングの糸と同程度に細いものから２００ｄｔｅｘ程度のものまで、短繊維の糸の場合は、１５０〜１０００ｄｔｅｘ程度がよく使用される。
【００２６】
裏糸はウレタン糸を芯糸とする被覆弾性糸であればよく、例えば、ポリウレタン糸にウーリーナイロン糸を巻き付けた糸（ＦＴＹ）、シングルカバードヤーン、コアスパンヤーン等を使用できる。芯糸であるウレタン糸の太さは、例えば２０〜５０ｄｔｅｘが適当であり、カバリングヤーンの太さは、芯糸と同程度かそれより太いものが適当である。
【００２７】
本発明のフットカバーは、Ｋ式丸編靴下編機により編成され、履き口部２から編成が開始され、履き口部２の編成に引き続いてボディ部１が編成されるものである。履き口部２は袋状のダブルウェルトに編成される。
【００２８】
Ｋ式丸編靴下編機におけるダブルウェルト編成について、「繊維工学II  編組」（日本繊維工業教育研究会編、実教出版株式会社１９７３年発行）の第１５３〜１５４頁の記載、図４、および図５に基いて説明する。
〔メークアップ（ｍａｋｅ  ｕｐ）〕
＊編成の最初にシリンダ針は１本おきの作用位置をとるようにする。これはシリンダ下部に、１本おきに配列したジャックによって行なわれる。
〇  第１次の給糸で１目おきのループが作られる（図４（１）参照）。
〇  第２次給糸では全針作用（図４（２）参照）。
〇  第３次給糸のおり、再び１本おきの針配列となり、不作用針の上にダイヤルジャックのフックが進出して、リブ出合いの状態となる（図４（３）参照）。そのままジャックはループを保持して、ダイヤル内に後退し、ウェルト編成終了までその状態を続ける。
〇  第４次給糸から全針編成位置をとり、ウェルト編成を続けることになる（図４（４）参照）。
これをメークアップという。図４はその関連図である。
〔トランスファ（ｔｒａｎｓｆｅｒ）〕
＊ウェルトの所要長さが編成されたとき（図５（１）参照）、ダイヤルジャックは第３次給糸のループをフックに保持したままで、不作用位置であった針の上に進出する（図５（２）参照）。針は編成のため上昇してジャックの先端間隙部に進入し（図５（３）参照）、ついでジャックは保持のループを針に移すため、フックは後退する際、その先端が割れて針にループが残される（図５（４）参照）。
【００２９】
以上のようにして、袋状になったダブルウェルトが編成される。
【００３０】
本発明のフットカバーにおいては、図１（ｂ）および図２（ａ）、（ｂ）に示すように、履き口部２の内側（着用者の足に接する側）の下端部２１がダブルウェルトの編み始めの部分（メークアップ編成の開始部分）である。ダブルウェルトの編み始めの部分２１はボディ部１の裏糸のウレタン芯糸よりも太い２００ｄｔｅｘ以上、好ましくは２００〜３００ｄｔｅｘ、の太さのウレタン糸を芯糸として細い被覆糸をラフピッチでシングルカバーした太い被覆弾性糸により編成されている。細い被覆糸としては例えば、通常ソックスに使用されるＦＴＹの被覆糸よりも細い、５０ｄｔｅｘ以下、好ましくは１５〜３５ｄｔｅｘ、のナイロン等の長繊維が適している。
【００３１】
本発明において、太いウレタン糸は、ベア糸（裸糸）として使用せずに、細い被覆糸でカバーリングしたので、編糸としての滑りを確保できる。また、太いウレタン糸は編機で編成できることが必要であるので、その太さの上限は編機により決まる。
【００３２】
ダブルウェルトの編み始めの部分２１はこの太い被覆弾性糸により履き口部の全周に亘って３〜３０コース、好ましくは４〜２０コース、編成される。
【００３３】
その後、編糸を代えて、引き続きダブルウェルト編成が行われ、履き口部の内側の上部２２および履き口部の外側部分２３が編成される。履き口部の内側の上部２２および履き口部の外側部分２３はボディ部１における表糸と同じ編糸を用いて編成され、好ましくは、フロート編によるゴム畦編み（いわゆるゴム編風に見える編み方）に編成される。履き口部の外側部分２３はゴム糸挿入編により編成される。好ましくは、ゴム畦にゴム糸を挿入する。ゴム糸挿入編に使用するゴム糸は、特に限定されないが、太さが７０〜１３０番手のカバードヤーンが適当である。
【００３４】
履き口部２の編成後、引き続きボディ部１の編成が行われる。前述した表糸と裏糸を用いて添糸編でつま先部１１、踵部１２および中間部１３を編成する。つま先部１１および踵部１２は編機のシリンダの正逆往復運動の振り幅を変化させることにより編成できる。履き口部２に続いて、つま先部１１から先に編成してもよく、逆に、踵部１２から先に編成してもよい。中間部１３はつま先部または踵部の編成時に形成される。編成後に、つま先部１１と踵部１２の間の開いている箇所をリンキングまたは縫製等によりかがることによりフットカバーが完成する。
【００３５】
本発明においては、ボディ部１は前述した表糸と裏糸を用いた添糸編であれば、どのような編成過程で形成されるものでもよく、従って、ゴアラインの本数や位置、形状も特に限定されるものではない。
【００３６】
本発明のフットカバーにおいて使用する糸は季節や用途に応じて種々の素材を使用するが、具体的な一例を挙げれば次の通りである。
＊履き口部内側下端の太い被覆弾性糸：２８０デニール（約３１１ｄｔｅｘ）のポリウレタン糸の芯糸を、２０デニール（約２２ｄｔｅｘ）のナイロン糸（被覆糸）でシングルカバーしたもの
＊履き口部内側上部、履き口部外側部分およびボディ部の表糸：１５０デニール（約１６６ｄｔｅｘ）のポリエステル長繊維
＊ボディ部の裏糸（添糸）：３０デニール（約３３ｄｔｅｘ）のポリウレタン糸を７５デニール（約８３ｄｔｅｘ）のポリエステル糸でシングルカバーした糸（ＦＴＹ）
＊履き口部内側上部および履き口部外側部分に挿入するゴム糸：ダブルカバードヤーンの１００番ゴム糸。
【００３７】
前述した実施例の履き口部２のダブルウェルト編成においては、第１次給糸から糸代えが行われるまで、太い被覆弾性糸により履き口部の全周に亘って３コース以上〜３０コース以下編成される。なお、第４次給糸からトランスファが行われて履き口部２の編成が終了するまでは全針で編成が行われる。従って、太い被覆弾性糸による履き口部内側下端部２１の幅は履き口部２の全周に亘って同じ幅である。
【００３８】
図６に履き口部２の別の実施例の編成過程を示す展開図を示した。図６において、横方向の全幅が編機の１周を表わし、縦方向が編成していく過程を表わしている。図６において符号Ａは踵側中心線であり、符号Ｂ、Ｃは踵側部の範囲を示す境界線である。
【００３９】
図６に示した実施例の履き口部２においては、第１次給糸から３〜３０コース太い被覆弾性糸により履き口部の全周に亘って内側下端部２１が編成され、続いて同じく太い被覆弾性糸のまま編機のシリンダの正逆往復運動で符号Ｂ−Ｃ間の振り幅で追加部分２１′を編成する。次に、ボディ部における表糸と同じ編糸にして、履き口部の内側の上部２２および履き口部の外側部分２３をゴム糸挿入編により編成する。その後、ダイヤルジャックに保持していた第３次給糸（第３コース）である太い被覆弾性糸のループを編針にトランスファして、履き口部２の編成が終了する。続いて、全針でボディ部１の繋ぎ部１ａを数コース編成してから、編機のシリンダの正逆往復運動によりつま先部または踵部の編成に入る（図６ではつま先部または踵部の編成過程は省略している）。
【００４０】
この実施例においては、太い被覆弾性糸による履き口部内側下端部の幅は履き口部２の全周に亘って同じ幅ではなく、踵側部分が追加編成により幅広くなっている。このため、この実施例のフットカバーはより一層脱げ難くなる。
【符号の説明】
【００４１】
１  ボディ部
２  履き口部
１１  つま先部
１２  踵部
１３  中間部
２１  履き口部内側下部
２２  履き口部内側上部
２３  履き口部外側
【図１】
0006401558.tif 000002
【図２】
0006401558.tif 000003
【図３】
0006401558.tif 000004
【図４】
0006401558.tif 000005
【図５】
0006401558.tif 000006
【図６】
0006401558.tif 000007